(57)【要約】  本発明は、やけど、創傷、外傷などのような皮膚の傷を保護すると共に、治療のために使われる医療用ドレッシング材、この製造方法及び製造装置に関し、より詳しくは、離型紙(２００)と、前記離型紙上に固定され、皮膚に付着される粘着シートとを含み、前記離型紙は、固定離型紙と、前記固定離型紙に形成された切開部と連結部により、前記固定離型紙に固定され、前記固定離型紙から粘着シートを分離する場合、前記粘着シートと共に分離されるように、所定の領域が前記粘着シートの下面に重ね合うように位置する分離離型紙を含む医療用ドレッシング材、この製造方法及び製造装置に関する。
2019517905.tif 000002
【特許請求の範囲】
【請求項１】
離型紙(２００)と、
前記離型紙(２００)の上部に固定され、皮膚に付着される粘着シート(１００)を含み、
前記離型紙(２００)は、固定離型紙(２１０)と、前記固定離型紙(２１０)に形成された切開部(２１１)と連結部(２１２)により、前記固定離型紙(２１０)に固定され、前記固定離型紙(２１０)から粘着シート(１００)を分離する場合、前記粘着シート(１００)と共に分離されるように、所定の領域が前記粘着シート(１００)の下面に重ね合うように位置する分離離型紙（２２０）とを含むことを特徴とする医療用ドレッシング材。
【請求項２】
前記粘着シート(１００)は円形であり、前記分離離型紙(２２０)は、所定の間隔離隔して窪み部(２２１)が形成されるように、２つの円形が連結した形状であることを特徴とする請求項１に記載の医療用ドレッシング材。
【請求項３】
前記粘着シート(１００)及び前記分離離型紙(２２０)の２つの円形中心点は、仮想の同一の延長線に位置するように配置されることを特徴とする請求項２に記載の医療用ドレッシング材。
【請求項４】
前記固定離型紙(２１０)は、前記粘着シート(１００)が前記分離離型紙(２２０)の上面に位置することを視覚で確認可能な単語、模様、及び図形より選ばれたいずれか１以上の第１の識別部(２１３)が、前記固定離型紙(２１０)の所定の位置に設けられることを特徴とする請求項１に記載の医療用ドレッシング材。
【請求項５】
前記分離離型紙(２２０)は、前記粘着シート(１００)が前記分離離型紙(２２０)の上面に位置することを触覚で確認可能な突起からなる第３の識別部(２２３)が、前記分離離型紙(２２０)の上面の所定の位置に形成されることを特徴とする請求項１に記載の医療用ドレッシング材。
【請求項６】
前記固定離型紙(２１０)と分離離型紙(２２０)は、所定の復元力を有するように厚さが２０〜３００μｍであり、
前記切開部(２１１)は、前記分離離型紙(２２０)の外周縁部に沿って形成され、前記粘着シート(１００)と重ならない残りの１つの円形外周縁部には、２つの連結部(２１２)が、切開部(２１１)に形成され、
前記連結部(２１２)は、円形中心点を通りながら、前記仮想の１つの延長線と垂直に交差する位置に対向して配置されることを特徴とする請求項３に記載の医療用ドレッシング材。
【請求項７】
前記粘着シート(１００)は円形であり、前記分離離型紙(２２０)は、所定の間隔離隔して窪み部(２２１)が形成されるように、２つの円形が連結した形状であり、
前記粘着シート(１００)及び前記分離離型紙(２２０)の２つの円形中心点は、仮想の同一の延長線に位置するように配置され、
前記固定離型紙(２１０)は、前記粘着シート(１００)が前記分離離型紙(２２０)の上面に位置することを視覚で確認可能な単語、模様、及び図形より選ばれたいずれか１以上の第１の識別部(２１３)が、前記固定離型紙(２１０)の所定位置に設けられ、
前記分離離型紙(２２０)は、前記粘着シート(１００)が前記分離離型紙(２２０)の上面に位置することを触覚で確認可能な突起からなる第３の識別部(２２３)が、前記分離離型紙(２２０)の上面の所定の位置に形成され、
前記固定離型紙(２１０)と分離離型紙(２２０)は、所定の復元力を有するように、厚さが２０〜３００μｍであり、
前記切開部(２１１)は、前記分離離型紙(２２０)外周縁部に沿って形成され、前記粘着シート(１００)と重ならない残りの１つの円形外周縁部には、２つの連結部(２１２)が切開部(２１１)に形成され、前記連結部(２１２)は、円形中心点を通りながら、前記仮想の延長線と垂直に交差する位置に、互いに対向して配置されることを特徴とする請求項１に記載の医療用ドレッシング材。
【請求項８】
所定のサイズを有する１枚の離型紙(２００)と、
前記離型紙(２００)の上部に固定され、皮膚に付着される複数の粘着シート(１００)を含み、
前記離型紙(２００)は、前記粘着シート(１００)と分離される固定離型紙(２１０)と、前記固定離型紙(２１０)に形成された切開部(２１１)と連結部(２１２)により、前記固定離型紙(２１０)に固定され、前記固定離型紙(２１０)から粘着シート(１００)を分離する場合、前記粘着シート(１００)と共に分離されるように、所定の領域が前記粘着シート(１００)の下面に重ね合うように位置する前記粘着シート(１００)と同数の分離離型紙(２２０)とを含むことを特徴とする医療用ドレッシング材。
【請求項９】
前記粘着シート(１００)は円形であり、前記分離離型紙(２２０)は、所定の間隔離隔して窪み部２２１が形成されるように、２つの円形が連結した形状であり、
前記粘着シート(１００)及び前記分離離型紙(２２０)の２つの円形中心点は、仮想の同一の延長線に位置するように配置され、
前記固定離型紙(２１０)は、前記粘着シート(１００)が前記分離離型紙(２２０)の上面に位置することを視覚で確認可能な単語、模様、及び図形より選ばれたいずれか１以上の第１の識別部(２１３)が、前記固定離型紙(２１０)の所定の位置に設けられ、
前記分離離型紙(２２０)は、前記粘着シート(１００)が前記分離離型紙(２２０)の上面に位置することを触覚で確認可能な突起からなる第３の識別部(２２３)が、前記分離離型紙(２２０)の上面の所定の位置に形成され、
前記固定離型紙(２１０)と分離離型紙(２２０)は、所定の復元力を有するように、厚さが２０〜３００μｍであり、
前記切開部(２１１)は、前記分離離型紙(２２０)の外周縁部に沿って形成され、前記粘着シート(１００)と重ならない残りの１つの円形外周縁部には、２つの連結部(２１２)が切開部(２１１)に形成され、前記連結部(２１２)は、円形中心点を通りながら、前記仮想の延長線と垂直に交差する位置に互いに対向して位置することを特徴とする請求項８に記載の医療用ドレッシング材。
【発明の詳細な説明】
【技術分野】
【０００１】
本発明は、やけど、創傷、外傷などのような皮膚の傷を保護すると共に、治療のために使われる医療用ドレッシング材に関し、より詳しくは、皮膚に付着される粘着シートと、粘着シートを分離して皮膚に付着する分離離型紙と、分離離型紙と粘着シートを固定して保管するための固形離型紙とを含み、使用の便利性と保管性を向上した医療用ドレッシング材に関する。
【背景技術】
【０００２】
一般に、医療用ドレッシング材は、軽微なやけど、創傷、外傷などのような皮膚の傷を保護すると共に、治療のために広く使われる。すなわち、医療用ドレッシング材は、傷表面からの熱蒸発と水分損失を減少させて、更なる汚染を防止し、傷内に存在する細菌発育を減少させる機能を供する。
【０００３】
このような医療用ドレッシング材は、離型紙の上面に、粘着シートが付着されている構成を有し、離型紙から粘着シートを分離して、粘着シートの下面に形成された付着面を傷部位に付着することで、前記のような機能を提供することになる。
【０００４】
しかし、前記粘着シートを離型紙から分離するためには、粘着シートの一側を手で取って取り外した後、傷部位に付着することになるが、この過程で、使用者が粘着シートを把持することになるので、汚染が発生することがある。また、粘着シートは、付着した患者の着用感と活動性をより保証できるように、その厚さが逐次薄くなっている傾向であるので、離型紙から分離することも不便であって、使用の便利性が低下している。
【０００５】
このような問題点を解消するための先行技術として、韓国登録実用新案広報第４３９１５６号が挙げられる。前記先行技術は、分離離型紙の取っ手部分を把持して、離型紙から保護シートを容易に分離した後、傷部位に付着しながら、分離離型紙を保護シートから再度分離するようになることを、主とした構成としている。
【０００６】
前記構成によると、保護シートを把持せず、分離離型紙の取っ手部分を把持して、保護シートを離型紙から分離してから傷部位に付着することができるので、便利で且つ二次細菌感染を防止する効果を期待することができる。
【０００７】
しかし、取っ手部分の面積が小さく、保護シート側に取り付けられている部分の接着面が広いため、取ることに不便がある。また、取っ手部分を手で取って取り外す過程においても、取っ手部分が落ちる現象が頻繁に発生し、これを防止するためには、取っ手部分を取って、保護シート面に取り付けられている分離離型紙部分を非常に注意して剥離しなければならないので、分離から傷付着まで時間がかかり、さらに、この過程で使用者の手が保護シートの粘着部に触れるようになり、二次細菌感染を誘発することがある。
【０００８】
一方、近年には、傷保護能力と粘着力に優れたハイドロコロイドに基づく粘着シートの需要が増加している。このようなハイドロコロイド粘着シートは、厚さが薄くて透明であり、患者の着用感と活動性だけでなく、皮膚付着時にも目視で容易に認知し難く、美容側面で有利である。しかし、このようなハイドロコロイド粘着シートは、透明で且つ薄い特性によって、離型紙として分離するのが非常に困難であるという不都合がある。
【先行技術文献】
【特許文献】
【０００９】
【特許文献１】韓国登録実用新案公報第４３９１５６号
【発明の概要】
【発明が解決しようとする課題】
【００１０】
本発明は、上述した問題点を解決するためになされたものであって、離型紙から粘着シートを容易に分離し、また、傷部位に付着した後は、粘着シートから分離離型紙を容易に取り外すことができる、使用の便利性と、二次細菌感染を防止する医療用ドレッシング材を提供することを目的とする。
【課題を解決するための手段】
【００１１】
前記問題点を解決するための本発明の医療用ドレッシング材は、離型紙(２００)と、前記離型紙(２００)の上部に固定され、皮膚に付着される粘着シート(１００)とを含み、前記離型紙(２００)は、固定離型紙(２１０)と、前記固定離型紙(２１０)に形成された切開部(２１１)と連結部(２１２)により、前記固定離型紙(２１０)に固定され、前記固定離型紙(２１０)から粘着シート(１００)を分離する場合、前記粘着シート(１００)と共に分離されるように、所定の領域が前記粘着シート(１００)の下面に重ね合うように位置する分離離型紙(２２０)を含むことを特徴とする。
【００１２】
前記粘着シート(１００)は円形であり、前記分離離型紙(２２０)は、所定の間隔離隔して窪み部(２２１)が形成されるように、２つの円形が連結した形状である。
【００１３】
前記粘着シート(１００)及び前記分離離型紙(２２０)の２つの円形中心点は、仮想の同一の延長線に位置するように配置される。
【００１４】
前記固定離型紙(２１０)は、前記粘着シート(１００)が前記分離離型紙(２２０)の上面に位置することを視覚で確認可能な単語、模様、及び図形より選ばれたいずれか１以上の第１の識別部(２１３)が、前記固定離型紙(２１０)の所定の位置に設けられる。
【００１５】
前記分離離型紙(２２０)は、前記粘着シート(１００)が前記分離離型紙(２２０)の上面に位置することを触覚で確認可能な突起からなる第３の識別部(２２３)が、前記分離離型紙(２２０)の上面の所定の位置に形成される。
【００１６】
前記固定離型紙(２１０)と分離離型紙(２２０)は、所定の復元力を有するように厚さが２０〜３００μｍであり、前記切開部(２１１)は、前記分離離型紙(２２０)の外周縁部に沿って形成され、前記粘着シート(１００)と重ならない残りの１つの円形外周縁部には、２つの連結部(２１２)が、切開部(２１１)に形成され、前記連結部(２１２)は、円形中心点を通りながら、前記仮想の１つの延長線と垂直に交差する位置に対向して配置される。
【００１７】
前記粘着シート(１００)は円形であり、前記分離離型紙(２２０)は、所定の間隔離隔して窪み部(２２１)が形成されるように、２つの円形が連結した形状であり、前記粘着シート(１００)及び前記分離離型紙(２２０)の２つの円形中心点は、仮想の同一の延長線に位置するように配置され、前記固定離型紙(２１０)は、前記粘着シート(１００)が前記分離離型紙(２２０)の上面に位置することを視覚で確認可能な単語、模様、及び図形より選ばれたいずれか１以上の第１の識別部(２１３)が、前記固定離型紙(２１０)の所定位置に設けられ、前記分離離型紙(２２０)は、前記粘着シート(１００)が前記分離離型紙(２２０)の上面に位置することを触覚で確認可能な突起からなる第３の識別部(２２３)が、前記分離離型紙(２２０)の上面の所定の位置に形成され、前記固定離型紙(２１０)と分離離型紙(２２０)は、所定の復元力を有するように、厚さが２０〜３００μｍであり、前記切開部(２１１)は、前記分離離型紙(２２０)外周縁部に沿って形成され、前記粘着シート(１００)と重ならない残りの１つの円形外周縁部には、２つの連結部(２１２)が切開部(２１１)に形成され、前記連結部(２１２)は、円形中心点を通りながら、前記仮想の延長線と垂直に交差する位置に、互いに対向して配置される。
【００１８】
また、本発明による医療用ドレッシング材は、所定のサイズを有する１枚の離型紙(２００)と、前記離型紙(２００)の上部に固定され、皮膚に付着される複数の粘着シート(１００)とを含み、前記離型紙(２００)は、前記粘着シート(１００)と分離される固定離型紙(２１０)と、前記固定離型紙(２１０)に形成された切開部(２１１)と連結部(２１２)により、前記固定離型紙(２１０)に固定され、前記固定離型紙(２１０)から粘着シート(１００)を分離する場合、前記粘着シート(１００)と共に分離されるように、所定の領域が前記粘着シート(１００)の下面に重ね合うように位置する前記粘着シート(１００)と同数の分離離型紙(２２０)とを含むことができる。
【図面の簡単な説明】
【００１９】
【図１】図１は、本発明の第１実施例による医療用ドレッシング材の斜視図である。
【図２】図２は、図１における医療用ドレッシング材の分解斜視図である。
【図３】図３は、本発明の第２実施例による医療用ドレッシング材の斜視図である。
【図４】図４は、本発明の医療用ドレッシング材の使い方を説明するための斜視図である。
【図５】図５は、本発明の医療用ドレッシング材の使い方を説明するための斜視図である。
【図６】図６は、本発明の医療用ドレッシング材の使用後の状態を見せる斜視図である。
【発明を実施するための形態】
【００２０】
本発明において“含む”、“有する”、又は“備える”などの用語は、明細書上に記載された特徴、数字、ステップ、構成要素、パーツ、又はこれらを組み合わせることが存在することを指定しようとすることであり、１又はその以上の他の特徴や数字、ステップ、動作、構成要素、パーツ、又はこれらを組み合わせたものの存在、又は付加可能性を予め排除しないことと理解されたい。
【００２１】
以下、本発明による医療用ドレッシング材について、添付の図面を参照して説明することにする。図面上の同一の構成要素に対しては、同一符号を付し、同一の構成要素に対しては、重複した説明を省略することにする。
【００２２】
図１は、本発明の第１実施例による医療用ドレッシング材の斜視図であり、図２は、図１における医療用ドレッシング材の分解斜視図である。
【００２３】
図１及び２に示しているように、本発明の第１実施例による医療用ドレッシング材１０００は、離型紙２００と粘着シート１００とからなる。
【００２４】
まず、前記離型紙２００について具体的に説明すると、前記離型紙２００は、前記粘着シート１００と分離される固定離型紙２１０と、前記粘着シート１００と共に分離される分離離型紙２２０とからなり、少なくとも一面は、滑らかなコーティング層が形成される。
【００２５】
前記固定離型紙２１０には、前記分離離型紙２２０の外形と同一形状に、切開部２１１が設けられ、粘着シート１００を用いる場合、固定離型紙２１０から分離離型紙２２０が容易に分離され、通常は、切開部２１１に形成された連結部２１２により、分離離型紙２２０と固定離型紙２１０とが連結した状態を維持する。
【００２６】
ここで、前記固定離型紙２１０の所定の位置には、単語、模様、及び図形より選ばれた１つ以上の第１の識別部２１３を設けるのが望ましい。
【００２７】
本発明における粘着シート１００の下面の一部分は、分離離型紙２２０が接着されており、残りの部分は、固定離型紙２１０と接している。そこで、粘着シート１００を用いるために、分離離型紙２２０を分離する場合、分離離型紙２２０に粘着シート１００が共に取り付けられた状態で分離するためには、分離離型紙２２０を、粘着シート１００が取り付けられている方向に反らすべきであり、これと逆に反らすと、粘着シート１００から分離離型紙２２０のみ分離され、使用が困難であることがある。
【００２８】
特に、近年のドレッシング材を構成する離型紙と粘着シートは、透明度が非常に高くて、分離離型紙２２０のどの面に粘着シート１００が付着されているか、容易に分からない場合が多く、さらに、視力が良くない場合は、より把握し難い。 
【００２９】
そこで、本発明においては、単語、模様、及び図形のような第１の識別部２１３を、固定離型紙２１０に形成することで、分離離型紙２２０をどの方向に反らすべきかを容易に把握することができる。
【００３０】
前記分離離型紙２２０は、前述のような固定離型紙２１０に形成された切開部２１１と連結部２１２により、固定離型紙２１０に固定され、固定離型紙２１０から粘着シート１００を分離する場合、粘着シート１００と共に分離するように、一部分は、粘着シート１００の下面に重ね合わせて位置する。
【００３１】
また、分離離型紙２２０は、分離時に容易に分離されるように、所定の間隔離隔している２つの円形からなり、これらの円形の間に所定の曲率半径を有する窪み部２２１が形成される。具体的に、前記窪み部２２１によって形成される幅(Ｗ)は、２つの円形直径(Ａ、Ａ’)よりも小さく、そこで、前記のような形状からなる場合、面積が広い円状部分を手で取ることができ、把持が容易であり、さらに、相対的に幅(Ｗ)が狭い窪み部２２１が設けられているので、分離離型紙２２０をスムーズに反らすことができる。
【００３２】
さらに、前記粘着シート１００と分離離型紙２２０を構成する２つの円形中心点はいずれも、仮想の延長線に位置するように配置するのが望ましい。これは、固定離型紙２１０から分離離型紙２２０を分離する場合、粘着シート１００が捻るか、片側に偏らない状態で、固定離型紙２１０から取り外すためである。
【００３３】
一方、前記分離離型紙２２０の所定の位置には、第２の識別部２２２及び/又は、第３の識別部を形成するのが望ましい。
【００３４】
具体的に、前記第２の識別部２２２は、前述したように、分離離型紙２２０のどの面に粘着シート１００が付着されているかを容易に把握するための第１の識別部２１３と同じ機能を行うと共に、どの部分を把持すべきかを視覚的に容易に把握することができる。
【００３５】
特に、固定離型紙２１０と分離離型紙２２０が同一の透明材質からなる場合、分離離型紙２２０が、離型紙２００のどの部分に位置するかを目視で確認するのが非常に困難であって、粘着シート１００を迅速に使用しないことを防止するためである。
【００３６】
ここで、前記第２の識別部２２２は、模様、単語、及び図形より選ばれた１以上であり、１例として、図１及び２に示しているように、分離離型紙２２０の内側面の所定位置に、切開部２１１に沿って、帯を形成することができる。
【００３７】
前記第３の識別部２２３は、前述のように、分離離型紙２２０のある面に粘着シート１００が付着されているかを容易に把握するための第１の識別部２１３と同じ機能を発揮することができると共に、どの部分を把持するかを触覚的に容易に把握できるようにする。
【００３８】
すなわち、分離離型紙２２０が離型紙２００のどの部分に位置するかを目視で確認し難くて、粘着シート１００を迅速に使用できない場合を防止するためである。
【００３９】
ここで、前記第３の識別部２２３は、図１及び２に示しているように、切開部２１１と隣接した分離離型紙２２０内の上部の所定位置に、１以上の突起からなる。
【００４０】
一方、前記固定離型紙２１０と分離離型紙２２０は、ポリエチレンテレフタルレート(ＰＥＴ)、又はポリエチレン(ＰＥ)のような可塑性物質を用いて、透明又は不透明であるのが望ましく、反った場合でも、迅速に元の位置に戻る所定の復元力を有するように、２０〜３００μｍの厚さを有するのがより望ましい。前記厚さが２０μｍ未満であると、厚さが薄く過ぎて復元力が不足であり、３００μｍを超えると、よく反らず、分離離型紙２２０を分離するのが容易でないので、固定離型紙２１０と分離離型紙２２０は、前記厚さであるのが望ましい。
【００４１】
また、前記連結部２１２は、分離離型紙２２０を容易に分離しながらも、固定離型紙２１０との浮上を防止するために、粘着シート１００と重ならない残り１つの円形外周縁部に、２つの連結部２１２が切開部２１１に形成されるのが望ましい。
【００４２】
具体的には、図１に示しているように、前記連結部２１２は、分離離型紙２２０の２つの円形と粘着シート１００の中心点を通る仮想の延長線と垂直に交差する位置に互いに対向するように、２つの連結部２１２が設けられる。分離離型紙２２０の一側の円形は、粘着シート１００の下に位置した状態で、粘着シート１００により固定され、他側の円形は、２つの連結部２１２によって固定されるため、分離離型紙２２０を迅速に分離させることができるだけでなく、固定離型紙２１０と分離離型紙２２０の復元力によって、切開部２１１の付近で分離離型紙２２０が浮上する現象も防止することができる。
【００４３】
また、前記分離離型紙２２０の２つの円形のうち、識別部２１３、２２２、２２３が形成された円形は、粘着シート１００の下面と接触する円形よりも断面積が大きいのが望ましく、これは、把持が容易であり、また皮膚に接着シート１００を付着してから、分離離型紙２２０を容易に分離するためである。
【００４４】
さらに、前記接着シート１００に接着される分離離型紙２２０の円形の面積は、接着シート１００の総面積の１０％〜５０％であるのが望ましく、２０％〜４０％がより望ましい。接着シート１００の面積の１０％未満に接着すると、接着力が非常に弱くて、分離離型紙２２０の分離時に共に分離されないことがあり、逆に５０％を超えると、接着力が非常に強くて、接着シート１００を皮膚に付着した後、接着シート１００から分離離型紙２２０が離れ難いので、前記範囲で分離離型紙２２０と接着シート１００とを接着するのが望ましい。
【００４５】
一方、前記粘着シート１００は、ハイドロコロイド粘着シート、ポリウレタンフォーム粘着シートタイプであり、前記ハイドロコロイド粘着シートは、粘着力を有する疎水性のゴム状マトリックス付着面に、親水性のハイドロコロイド高分子が分散されている形態であり、前記ポリウレタンフォーム粘着シートは、粘着力を有する疎水性のウレタンの付着面に、ポリエチレングリコール、イソシアネート、触媒、水などの高分子が混合分散されている形態である。これらのハイドロコロイド粘着シートやポリウレタンフォーム粘着シートは、吸湿性と湿潤環境維持に起因する傷保護能力と優れた粘着力を有しており、広く使われているシートに該当するので、より具体的な説明は、省略することにする。
【００４６】
以下では、本発明の第２実施例による医療用ドレッシング材について、図３を参照して説明する。
【００４７】
前記第２実施例は、粘着シート１００と分離離型紙２２０の数と、これによる配置構造を除き、図１及び２を参照して説明した第１実施例と同一である。そこで、同一の構成要素に対しては、同一の符号を付し、合わせて、同一の構成要素に対する繰返し説明は、省略することにする。
【００４８】
第２実施例では、１枚の離型紙２００と、複数の粘着シート１００とを含む。
【００４９】
一例として、図３に示しているように、所定の幅と広さを有する１枚の離型紙２００の上面に、一列は３つ、これと垂直な列は５つからなる、計１５個の粘着シート１００が設けられる。また、粘着シート１００の底面には、前述したような分離離型紙２２０が各々設けられている。
【００５０】
ここで、離型紙２００の単位面積当たりの粘着シート１００が多く付着できるように、前記分離離型紙２２０が所定の角度で傾くように配置するのが望ましい。具体的に、粘着シート１００が３つ設けられた列を横列、５つ設けられた列を縦列として定義する場合、前記分離離型紙２２０は、横列又は縦列に対して、４０°乃至５０°傾斜して配置され、そこで、固定離型紙２１０の活用面積を極大化することができる。
【００５１】
以下では、本発明の医療用ドレッシング材の使用方法について、図４及び５を参照しながら説明することにする。
【００５２】
図４に示しているように、離型紙２００の一面に接着されている粘着シート１００を分離するために、まず、第１の識別部２１３、第２の識別部２２２、及び第３の識別部２２３のいずれか１つの識別部から、粘着シート１００が上部面にあるかを確認する。ついで、分離離型紙２２０を上側に反らすか、固形離型紙２１０を下側に反らした後、切開線によって分離された分離離型紙２２０の所定の部分を把持し、上部面に取り外す。すると、分離離型紙２２０と、所定の部分が接着されている粘着シート１００とが共に分離される。
【００５３】
ついで、図５のように、分離離型紙２２０を把持した傷部位に、粘着シート１００を付着しながら、分離離型紙２２０を粘着シート１００から取り外す。
【００５４】
以上の説明のように、本発明による医療用ドレッシング材１０００は粘着シート１００を把持せずに分離離型紙２２０を媒介にして離型紙２００から分離し肌に付着させることができ、付着過程での汚染防止、また一部分離された分離離型紙２２０の所定の部分を把持することで分離と付着が連続的に可能となり、迅速な使用が可能である。
【００５５】
以上、本発明の特定の部分を詳しく記述したが、当業界における通常の知識を有する者にとって、このような具体的な技術は単に、好適な実施様態であるだけであり、これにより本発明の範囲が制限されることではなく、本発明の範疇及び技術思想の範囲内で様々な変更及び修正が可能であることは、当業者にとって明白なことであり、このような変形及び修正が添付の特許請求の範囲に属することも当然である。
【産業上の利用可能性】
【００５６】
本発明の医療用ドレッシング材によると、粘着シートの所定の部位には、分離離型紙が付着され、分離離型紙は、固定離型紙に形成された切開部と連結部によって固定・分離されるので、粘着シートを迅速に使用することができる。
【００５７】
また、本発明のドレッシング材は、模様、単語、図形、及び突起からなる複数の識別部を設けているので、分離離型紙の把持位置と粘着シートの分離方向を迅速で且つ正確に確認することができ、使用時の正確性を高めることができる。
【符号の説明】
【００５８】
１０００：医療用ドレッシング材
１００：粘着シート
２００：離型紙
２１０：固定離型紙
２１１：切開部
２１２：連結部
２１３：第１の識別部
２２０：分離離型紙
２２１：窪み部
２２２：第２の識別部
２２３：第３の識別部
Ａ、Ａ’：分離離型紙の円形径
Ｗ：窪み部の幅
【図１】
2019517905.tif 000003
【図２】
2019517905.tif 000004
【図３】
2019517905.tif 000005
【図４】
2019517905.tif 000006
【図５】
2019517905.tif 000007
【図６】
2019517905.tif 000008
【国際調査報告】
2019517905.tif 000009
2019517905.tif 000010
2019517905.tif 000011
2019517905.tif 000012